(57)【要約】【課題】複数の電話端末を同一人に利用させる場合に、複数の電話端末に同一電話番号を付与可能とし、かつ、複数の電話端末を同時に使用することが可能なボタン電話装置を提供する。【解決手段】ボタン電話装置１００の電話端末のうち、一人のユーザＡが利用する複数の電話端末例えば固定電話機Ａ  ２０１Ａ、携帯端末Ａ  ２０２Ａの２台の電話端末には同一の電話番号を付与し、通信制御部１０２は、複数の電話端末のいずれが発信しても、同一の電話番号の発信元電話番号を付した着信信号を着信先に送信し、また、他の電話端末から同一電話番号を付与した複数の電話端末に着信する際に、当該複数の電話端末のうち待機中の状態にある全電話端末に着信信号を送信する。さらに、同一電話番号を付与した複数の電話端末のいずれかが使用中の場合、残りの電話端末を用いた発着信動作を禁止する排他制御を行うか否かを情報記録装置１０３に任意に登録可能とする。【選択図】        図１
2011188160.tif 000002
【特許請求の範囲】
【請求項１】
電話端末の接続を行うボタン電話装置であって、一人のユーザが複数の電話端末を利用する場合、当該複数の電話端末に対して共通に同一の電話番号を付与し、前記複数の電話端末のうち、いずれの電話端末が発信しても、着信先に着信する際に、前記同一の電話番号の発信元電話番号を付した着信信号を送信し、一方、他の電話端末から前記同一の電話番号が付与された前記複数の電話端末に着信する際に、当該複数の電話端末のうち、待機中の状態にある全ての電話端末に対して着信信号を送信することを特徴とするボタン電話装置。
【請求項２】
前記同一の電話番号が付与された前記複数の電話端末のうち、いずれかの電話端末が使用中の状態にある場合に、残りの電話端末を用いた発信動作を禁止する発信時の排他制御、および、残りの電話端末に対する着信動作を禁止する着信時の排他制御、を実施するか否かを指定する制御情報を任意に設定登録することができることを特徴とする請求項１に記載のボタン電話装置。
【請求項３】
前記複数の電話端末として、ボタン電話端末、多機能電話機、または、アナログ電話機、デジタル電話機、ＩＰ電話機のいずれかを少なくとも含む固定電話機を組み合わせた電話端末、あるいは、構内用ＰＨＳ端末、無線通信端末のいずれかを少なくとも含む携帯端末を組み合わせた電話端末、あるいは、前記固定電話機と前記携帯端末とを組み合せた電話端末から構成されていることを特徴とする請求項１または２に記載のボタン電話装置。
【請求項４】
電話端末の接続を行うボタン電話装置において、一人のユーザが複数の電話端末を利用する場合、当該複数の電話端末に対して共通に同一の電話番号を付与する共有電話番号利用方法であって、前記複数の電話端末のうち、いずれの電話端末が発信しても、着信先に着信する際に、前記同一の電話番号の発信元電話番号を付した着信信号を送信し、一方、他の電話端末から前記同一の電話番号が付与された前記複数の電話端末に着信する際に、当該複数の電話端末のうち、待機中の状態にある全ての電話端末に対して着信信号を送信することを特徴とする共有電話番号利用方法。
【請求項５】
前記同一の電話番号が付与された前記複数の電話端末のうち、いずれかの電話端末が使用中の状態にある場合に、残りの電話端末を用いた発信動作を禁止する発信時の排他制御、および、残りの電話端末に対する着信動作を禁止する着信時の排他制御、を実施するか否かを指定する制御情報を任意に設定登録することができることを特徴とする請求項４に記載の共有電話番号利用方法。
【請求項６】
請求項４または５に記載の共有電話番号利用方法を、コンピュータによって実行可能なプログラムとして実施していることを特徴とする共有電話番号利用プログラム。
【請求項７】
請求項６に記載の共有電話番号利用プログラムを、コンピュータによって読み取り可能な記録媒体に記録していることを特徴とするプログラム記録媒体。
【発明の詳細な説明】
【技術分野】
【０００１】
本発明は、ボタン電話装置、共有電話番号利用方法および共有電話番号利用プログラムに関する。
【背景技術】
【０００２】
近年、ボタン電話装置を使用している会社や事務所においては、各個人用の事務机上に配置した固定電話機と各人が携行する構内ＰＨＳ（Personal  Handy-phone  System）端末等の携帯端末との双方を利用する人が増えてきている。
【０００３】
かかる場合、会社や事務所から同一個人に対して個人用の固定電話機、携帯端末の２台の電話端末を配布しているため、実際に使用する人が一人であるにも係らず、２つの電話番号(固定電話機の電話番号、構内ＰＨＳ端末等の携帯端末の電話番号)を付与していることになっている。
【０００４】
例えば、従来からの技術として特許文献１の特開平６−２７６２８９号公報「構内自動交換機」のように、４線式の内線ポートを利用して、４線のうち、２線をデジタル式のボタン電話機に接続して、残りの２線は標準のアナログ電話機に接続して、それぞれを別の内線電話として扱うことができるような技術が提案されているし、また、着信の際に、異なる電話番号に着信させたり転送させたりすることにより、同一個人が使用する固定電話機と構内ＰＨＳ端末等の携帯端末とのいずれにも鳴り分けて着信することができる仕組みも提案されている。
【先行技術文献】
【特許文献】
【０００５】
【特許文献１】特開平６−２７６２８９号公報（第４−６頁）
【発明の概要】
【発明が解決しようとする課題】
【０００６】
しかしながら、前述のような技術においては、次のような問題がある。すなわち、２台の電話端末を有する個人が、同じ会社内や同じ事務所内の同僚等に対して内線発信した場合、当該内線発信が着信する相手側が、着信時に表示された発信者情報によって、誰からの電話かを判別することを可能にするためには、２つの電話番号を電話帳にあらかじめ登録しておくことが必要になる。
【０００７】
また、同一人が所有する２台の電話端末についてそれぞれに異なる電話番号が付与されているため、一方の電話端末にて通話中の状態であっても、他方の電話端末に対して着信してくることが可能であり、一方の電話端末を用いて通話中のユーザは着信してきた該着信呼に対して応答することができない。
【０００８】
かかる問題に対処するために、固定電話機と携帯端末との２台の電話端末に対して同一の電話番号を付与することも有効である。そのための技術として、親子電話機等の技術を利用することも考えられる。しかしながら、親子電話機の場合、親機から遠くまで離れることができないため、子機を携帯端末として持ち歩くことができないのみならず、親機と子機との双方を同時には使用することができないという問題がある。
【０００９】
（本発明の目的）
本発明は、かかる事情に鑑みてなされたものであり、その目的とするところは、複数の電話端末例えば固定電話機と携帯端末との２台の電話端末を同一人に利用させる場合には、複数の例えば２台の電話端末に同一電話番号を付与可能とし、かつ、複数の例えば２台の電話端末を同時に使用することを可能とするボタン電話装置、共有電話番号利用方法および共有電話番号利用プログラムを提供することにある。
【課題を解決するための手段】
【００１０】
前述の課題を解決するため、本発明によるボタン電話装置、共有電話番号利用方法および共有電話番号利用プログラムは、次のような特徴的な構成を採用している。
【００１１】
（１）電話端末の接続を行うボタン電話装置であって、一人のユーザが複数の電話端末を利用する場合、当該複数の電話端末に対して共通に同一の電話番号を付与し、前記複数の電話端末のうち、いずれの電話端末が発信しても、着信先に着信する際に、前記同一の電話番号の発信元電話番号を付した着信信号を送信し、一方、他の電話端末から前記同一の電話番号が付与された前記複数の電話端末に着信する際に、当該複数の電話端末のうち、待機中の状態にある全ての電話端末に対して着信信号を送信することを特徴とする。
【００１２】
（２）電話端末の接続を行うボタン電話装置において、一人のユーザが複数の電話端末を利用する場合、当該複数の電話端末に対して共通に同一の電話番号を付与する共有電話番号利用方法であって、前記複数の電話端末のうち、いずれの電話端末が発信しても、着信先に着信する際に、前記同一の電話番号の発信元電話番号を付した着信信号を送信し、一方、他の電話端末から前記同一の電話番号が付与された前記複数の電話端末に着信する際に、当該複数の電話端末のうち、待機中の状態にある全ての電話端末に対して着信信号を送信することを特徴とする。
【００１３】
（３）共有電話番号利用プログラムであって、上記（２）に記載の共有電話番号利用方法を、コンピュータによって実行可能なプログラムとして実施していることを特徴とする。
【発明の効果】
【００１４】
本発明のボタン電話装置、共有電話番号利用方法および共有電話番号利用プログラムによれば、以下のような効果を奏することができる。
【００１５】
（１）一人のユーザが複数の電話端末を使用する場合、複数の電話端末に対して、共通の同一の電話番号が付与されているので、該ユーザが複数の電話端末のうち、いずれの電話端末を用いて発信しても、着信先の電話端末に対しては、発信元を示す発信元電話番号として、同一の電話番号を通知することになり、着信先のユーザは、発信元のユーザをより容易に認識することができる。また、着信先において電話帳を検索して発信元のユーザ名を発信者情報として表示させる場合には、同一ユーザが複数の電話端末を用いている場合であっても、該電話帳には一つの電話番号を登録するだけで良く、電話帳の登録・管理がより容易になる。
【００１６】
（２）一人のユーザが複数の電話端末を使用し、かつ、複数の電話端末に共通に同一の電話番号を付与している場合であっても、親子電話機の場合とは異なり、複数の電話端末を同時に利用することができ、電話端末の利便性を向上させることができる。つまり、或る電話端末が使用中の状態にあっても、当該ユーザが使用中の電話端末の使用状態を一旦保留して、当該ユーザ自身が、あるいは、当該ユーザの代理となる人が、他の電話端末を使用することができる。
【００１７】
（３）一つの電話番号を複数の電話端末で共有する場合において、いずれかの電話端末を使用中の場合には、他の電話端末の発着信動作を許可するか否かを示す発信時／着信時の排他制御に関する制御情報を任意に設定登録することができるので、ボタン電話装置における接続制御に関する管理を簡素化することも可能である。
【００１８】
（４）一つの電話番号を共有する複数の電話端末として、ボタン電話端末のみならず、事務机上等に設置する多機能電話機、家庭内でも使用するアナログ電話機、デジタル電話機、ＩＰ電話機等の各種の固定電話端末、構内用ＰＨＳ端末や無線通信端末等の各種の携帯端末等、多様な電話端末の組合せで利用することが可能になるので、ボタン電話装置における通話距離に関する制限を大幅に緩和することができる。
【図面の簡単な説明】
【００１９】
【図１】本発明に係るボタン電話装置の構成の一例を示すシステム構成図である。
【図２】本発明に係るボタン電話装置において発信元電話端末が図１とは異なる場合の接続構成例を示すシステム構成図である。
【図３】本発明に係るボタン電話装置において２台の電話端末を有するユーザが一方の電話端末を用いて通信中の状態にある場合に、当該ユーザの他方の電話端末へ着信しようとする場合の一例を示すシステム構成図である。
【図４】本発明に係るボタン電話装置において２台の電話端末を有するユーザが一方の電話端末を用いて通信中の状態にある場合に、当該ユーザの他方の電話端末へ着信しようとする場合の他の例を示すシステム構成図である。
【図５】本発明に係るボタン電話装置において２台の電話端末を有するユーザが一方の電話端末を用いて通信中の状態にある場合に、当該ユーザが他方の電話端末を用いてさらに発信しようとする場合の一例を示すシステム構成図である。
【図６】本発明に係るボタン電話装置の情報記録装置内の共有電話番号設定テーブルに設定登録されている各電話端末の排他制御の実施の有無を指定する制御情報の設定状況の一例を示すテーブルである。
【図７】本発明に係るボタン電話装置の発信動作の一例を説明するフローチャートである。
【図８】本発明に係るボタン電話装置の着信動作の一例を説明するフローチャートである。
【発明を実施するための形態】
【００２０】
以下、本発明によるボタン電話装置、共有電話番号利用方法および共有電話番号利用プログラムの好適な実施形態について添付図を参照して説明する。なお、以下の説明においては、本発明によるボタン電話装置および共有電話番号利用方法について説明するが、かかる共有電話番号利用方法をコンピュータにより実行可能な共有電話番号利用プログラムとして実施するようにしても良いし、あるいは、共有電話番号利用プログラムをコンピュータにより読み取り可能な記録媒体に記録するようにしても良いことは言うまでもない。
【００２１】
また、以下の実施形態においては、一人のユーザが使用する電話端末として、同一の電話番号を付与された電話端末の台数が、２台の場合について説明するが、本発明は、かかる場合に限るものではなく、任意の台数からなる複数の電話端末である場合についても全く同様に適用することができる。また、本発明においてボタン電話装置に内線接続する内線電話機の種類としては、ボタン電話端末のみならず、事務机上等に設置する多機能電話機、通常の家庭内でも使用するアナログ電話機、デジタル電話機、ＩＰ電話機等の各種の固定電話機であっても良いし、構内用ＰＨＳ端末や無線通信端末等の各種の携帯端末であっても良い。
【００２２】
（本発明の特徴）
本発明の実施形態の説明に先立って、本発明の特徴についてその概要をまず説明する。本発明は、一人で複数の電話端末例えば固定電話機と構内ＰＨＳ端末等の携帯端末と２台の電話端末を併用するような環境下において、同一人が利用する該複数の例えば２台の電話端末に対して同一の電話番号を付与し、複数の例えば２台の電話端末の同時利用を可能とするとともに、複数の例えば２台の電話端末間の発信・着信・通話時における排他制御を行う仕組みを有していることを主要な特徴としている。
【００２３】
而して、複数の例えば２台の電話端末を併用するユーザがいずれの電話端末を使用して発信しても、同一電話番号を用いた発信動作になるので、発信先の相手側においては、１つの電話番号のみを通話相手として電話帳に登録しておくだけで、発信先を容易に判別することができる。また、複数の例えば２台の電話端末間の発信・着信・通話時における排他制御を実施するか否かを制御することにより、或る電話端末を用いて通話中の状態にある際には、残りの電話端末に対する発着信の可否を制御することが可能であり、操作性を向上させることができる。
【００２４】
（実施形態の構成例および動作例）
次に、本発明に係るボタン電話装置の一構成例とその動作例について説明する。
【００２５】
（第１の実施形態）
図１は、本発明に係るボタン電話装置の構成の一例を示すシステム構成図であり、電話番号'２００番'を割り当てられているユーザＡが使用する固定電話機Ａ  ２０１Ａが、電話番号'２０１番'が割り当てられているユーザＢが使用する固定電話機Ｂ  ２０１Ｂに対して発信して、通信中の状態になっている場合を示している。なお、図１に示すボタン電話装置１００は、ユーザが使用する電話端末を接続するための回線接続路を形成する通話回路１０１、該通話回路１０１の接続状態を制御する通信制御部１０２、各種の情報を蓄積する情報記録装置１０３を少なくとも備えており、当該ボタン電話装置１００の通話回路１０１は、ボタン電話端末、多機能電話端末、アナログ電話端末、デジタル電話端末、ＩＰ電話端末等の各種の固定電話機や、ＰＨＳ端末や無線通信端末等の各種の携帯端末を接続することができる。
【００２６】
また、同一ユーザに対して複数の電話端末例えば固定電話機と構内ＰＨＳ端末等の携帯端末との２台の電話端末を共有させることが可能であり、同一ユーザが利用する複数の例えば２台の電話端末に対しては、同一の電話番号が付与される。例えば、図１に示すように、ユーザＡは、固定電話機Ａ  ２０１Ａと構内ＰＨＳ端末等の携帯端末Ａ  ２０２Ａとの２台の電話端末を有しているが、ユーザＡが利用する固定電話機Ａ  ２０１Ａと携帯端末Ａ  ２０２Ａとの２台の電話端末に対しては、それぞれで異なる電話番号ではなく、同一の電話番号'２００番'が付与されている。
【００２７】
図１に示すように、ユーザＡが電話番号'２００番'の固定電話機Ａ  ２０１Ａを用いて、電話番号'２０１番'のユーザＢの固定電話機Ｂ  ２０１Ｂに対して発信すると、ボタン電話装置１００は、通信制御部１０２にて、情報記録装置１０３の情報を参照しつつ、固定電話機Ａ  ２０１Ａからのダイヤル情報を分析して、固定電話機Ｂ  ２０１Ｂへの発信であることを確認する。而して、通信制御部１０２は、情報記録装置１０３に登録されている固定電話機Ｂ  ２０１Ｂへの方路情報を選択して、通話回路１０１の接続経路を設定することにより、固定電話機Ｂ  ２０１Ｂに対して、'２００番'の発信元電話番号を付した着信信号（呼び出し信号）を送信するとともに、発信元の固定電話機Ａ  ２０１Ａに対して発信相手を呼び出し中であることを示す呼び出し中情報（リングバックトーン）を返送する。
【００２８】
電話番号'２００番'の固定電話機Ａ  ２０１Ａからの着信を受け取ったユーザＢの固定電話機Ｂ  ２０１Ｂには、発信者情報として、発信元電話番号'２００番'が示すユーザＡからの着信である旨が表示される。該発信者情報を確認したユーザＢが固定電話機Ｂ  ２０１Ｂにより応答操作を行うと、応答信号が、ボタン電話装置１００に送信される。ボタン電話装置１００は、該応答信号を受け取ると、通信制御部１０２にて、当該固定電話機Ｂ  ２０１Ｂに対する着信信号、および、発信元の固定電話機Ａ  ２０１Ａに対する呼び出し中情報の送信動作を停止し、しかる後、通話回路１０１の接続経路を設定して、発信元の固定電話機Ａ  ２０１Ａと着信先の固定電話機Ｂ  ２０１Ｂとの間を接続することによって、ユーザＡとユーザＢとの通話状態に移行する。
【００２９】
また、図２は、本発明に係るボタン電話装置１００において発信元電話端末が図１とは異なる場合の接続構成例を示しており、電話番号'２００番'のユーザＡが使用する携帯端末Ａ  ２０２Ａが、電話番号'２０１番'のユーザＢが使用する固定電話機Ｂ  ２０１Ｂに対して発信して、通信中の状態になっている場合を示している。
【００３０】
つまり、図１においては、ユーザＡが固定電話機Ａ  ２０１Ａを用いて、ユーザＢの固定電話機Ｂ  ２０１Ｂに対して発信した場合であったが、図２においては、固定電話機Ａ  ２０１Ａと同じ電話番号'２００番'が付与されている携帯端末Ａ  ２０２Ａを用いて、ユーザＢの固定電話機Ｂ  ２０１Ｂに対して発信している場合を示している。なお、図２には示していないが、携帯端末Ａ  ２０２Ａとの間の無線回線を形成するための無線回線制御部が、ボタン電話装置１００の通話回路１０１内に備えられていることは言うまでもない。
【００３１】
図２において、ユーザＡが電話番号'２００番'の携帯端末Ａ  ２０２Ａを用いて、電話番号'２０１番'のユーザＢの固定電話機Ｂ  ２０１Ｂに対して発信すると、ボタン電話装置１００は、通信制御部１０２にて、図１の場合と同様、'２００番'の発信元電話番号を付した着信信号を着信先のユーザＢの固定電話機Ｂ  ２０１Ｂに対して送信する。しかる後、着信先の固定電話機Ｂ  ２０１Ｂが応答すると、通信制御部１０２にて、通話回路１０１の接続経路を設定して、発信元の携帯端末Ａ  ２０２Ａと着信先の固定電話機Ｂ  ２０１Ｂとの間を接続することによって、ユーザＡとユーザＢとの通話状態に移行する。
【００３２】
かくのごとく、電話番号'２００番'が２台の電話端末（固定電話機Ａ  ２０１Ａ、携帯端末Ａ  ２０２Ａ）に共通に割り当てられているユーザＡが、図１、図２に示したように、２台のいずれの電話端末を用いて、ユーザＢの固定電話機Ｂ  ２０１Ｂに対して発信した場合であっても、着信先に発信者情報として表示される発信元電話番号は'２００番'であり、発信元電話番号'２００番'を視認した着信先のユーザＢは、いずれも、ユーザＡからの電話であることをより容易に認識することができる。なお、電話帳に該'２００番'の電話番号が通話相手として登録されている場合は、該電話帳に登録されている通信相手のユーザ名を、発信者情報として表示させることもできる。
【００３３】
また、電話番号'２００番'が２台の電話端末（固定電話機Ａ  ２０１Ａ、携帯端末Ａ  ２０２Ａ）に共通に割り当てられているユーザＡに対して、電話番号'２０１番'のユーザＢが固定電話機Ｂ  ２０１Ｂを用いて発信してきた場合については、ボタン電話装置１００は、通信制御部１０２にて、情報記録装置１０３を検索して、着信先の電話番号'２００番'のユーザＡが、２台の電話端末（固定電話機Ａ  ２０１Ａ、携帯端末Ａ  ２０２Ａ）を有していることを認識すると、着信先の電話番号'２００番'のユーザＡが有する全ての電話端末（本実施形態においては、固定電話機Ａ  ２０１Ａ、携帯端末Ａ  ２０２Ａの２台の電話端末）に対して、'２０１番'の発信元電話番号を付した着信信号を送信する。
【００３４】
しかる後、着信先のユーザＡが、着信信号を受信した全ての電話端末のうち、例えば固定電話機Ａ  ２０１Ａを用いて応答すると、ボタン電話装置１００は、図１に示したように、通信制御部１０２にて、通話回路１０１の接続経路を設定して、発信元の固定電話機Ｂ  ２０１Ｂと着信先の固定電話機Ａ  ２０１Ａとの間を接続することによって、ユーザＢとユーザＡとの通話状態に移行する。
【００３５】
一方、着信先のユーザＡが、着信信号を受信した全ての電話端末のうち、携帯端末Ａ  ２０２Ａを用いて応答すると、ボタン電話装置１００は、図２に示したように、通信制御部１０２にて、通話回路１０１の接続経路を設定して、発信元の固定電話機Ｂ  ２０１Ｂと着信先の携帯端末Ａ  ２０２Ａとの間を接続することによって、ユーザＢとユーザＡとの通話状態に移行する。
【００３６】
（第２の実施形態）
次に、電話番号'２００番'が割り当てられているユーザＡが２台の電話端末（固定電話機Ａ  ２０１Ａ、携帯端末Ａ  ２０２Ａ）のいずれかを用いて通信中の状態にある場合に、通信中の相手とは異なる相手が新たに着信しようとする場合の動作について、図３を用いて説明する。図３は、本発明に係るボタン電話装置１００において２台の電話端末を有するユーザＡが一方の電話端末を用いて通信中の状態にある場合に、当該ユーザＡの他方の電話端末へ着信しようとする場合の一例を示すシステム構成図である。つまり、図３においては、電話番号'２００番'のユーザＡが固定電話機Ａ  ２０１Ａを用いて、電話番号'２０１番'のユーザＢの固定電話機Ｂ  ２０１Ｂと通話中の状態にあるときに、電話番号'２０３番'のユーザＣの固定電話機Ｃ  ２０１Ｃから、通話中のユーザＡのもう一方の電話端末である携帯端末Ａ  ２０２Ａに対して着信しようとしている場合を示している。
【００３７】
図３において、まず、電話番号'２０１番'のユーザＢが、固定電話機Ｂ  ２０１Ｂを用いて、電話番号'２００番'のユーザＡに対して発信する操作を行うと、ボタン電話装置１００は、通信制御部１０２にて、情報記録装置１０３を検索して、着信先として指定された電話番号'２００番'のユーザＡが固定電話機Ａ  ２０１Ａ、携帯端末Ａ  ２０２Ａの２台の電話端末を有していることを認識することにより、発信元電話番号'２０１番'を付した着信信号を、電話番号'２００番'を割り当てているユーザＡの全ての電話端末（固定電話機Ａ  ２０１Ａ、携帯端末Ａ  ２０２Ａの２台の電話端末）に対して送信する。
【００３８】
しかる後、発信元電話番号'２０１番'を付した着信信号を受け取ったユーザＡが、例えば固定電話機Ａ  ２０１Ａを用いて応答する操作を行うと、ボタン電話装置１００は、通信制御部１０２にて、通話回路１０１の接続経路を設定して、発信元の固定電話機Ｂ  ２０１Ｂと着信先の固定電話機Ａ  ２０１Ａとの間を接続することによって、ユーザＢとユーザＡとの通話状態に移行する（図３のシーケンス番号（１））。
【００３９】
ユーザＡがユーザＢとの通話中の状態にある時点で、電話番号'２０２番'のユーザＣが、固定電話機Ｃ  ２０１Ｃを用いて、電話番号'２００番'のユーザＡに対する発信操作を行うと（図３のシーケンス番号（２））、ボタン電話装置１００は、通信制御部１０２にて、情報記録装置１０３を参照して、電話番号'２００番'のユーザＡに対する着信（呼び出し）の可否を判断する（図３のシーケンス番号（３））。ボタン電話装置１００は、情報記録装置１０３を参照した通信制御部１０２にて、電話番号'２００番'のユーザＡは、２台の電話端末のうち、固定電話機Ａ  ２０１Ａを用いて、ユーザＢの固定電話機Ｂ  ２０１Ｂと通話中の状態にあるものの、携帯端末Ａ  ２０２Ａが待機中（ｉｄｌｅ）の状態にあることを認識する。
【００４０】
したがって、ボタン電話装置１００は、携帯端末Ａ  ２０２Ａが待機中（ｉｄｌｅ）の状態にあることを認識すると、待機中（ｉｄｌｅ）の状態にある携帯端末Ａ  ２０２Ａに対して、発信元電話番号'２０２番'を付した着信信号（呼び出し信号）を送信し、着信音を鳴動させる（図３のシーケンス番号（４））。
【００４１】
ユーザＡの携帯端末Ａ  ２０２Ａの着信音の鳴動に応じて、該ユーザＡの代理として応答することができる人が携帯端末Ａ  ２０２Ａの近傍に所在していて携帯端末Ａ  ２０２Ａを操作して応答するか、あるいは、ユーザＢと通話中の当該ユーザＡが、ユーザＢとの通話を一旦保留して、携帯端末Ａ  ２０２Ａを用いて応答する操作を行うと、ボタン電話装置１００は、通信制御部１０２にて、通話回路１０１の接続経路を設定して、発信元の携帯端末Ｃ  ２０１Ｃと着信先の携帯端末Ａ  ２０２Ａとの間を接続することによって、ユーザＣとユーザＡとの通話状態に移行する。
【００４２】
（第３の実施形態）
次に、電話番号'２００番'が割り当てられているユーザＡが２台の電話端末（固定電話機Ａ  ２０１Ａ、携帯端末Ａ  ２０２Ａ）のいずれかを用いて通信中の状態にある場合に、通信中の相手とは異なる相手が新たに着信しようとする場合の動作について、図３の場合とは異なる動作例を、図４を用いて説明する。図４は、本発明に係るボタン電話装置１００において２台の電話端末を有するユーザＡが一方の電話端末を用いて通信中の状態にある場合に、当該ユーザＡの他方の電話端末へ着信しようとする場合の他の例を示すシステム構成図である。
【００４３】
図４においても、図３の場合の同様、電話番号'２００番'のユーザＡが固定電話機Ａ  ２０１Ａを用いて、電話番号'２０１番'のユーザＢの固定電話機Ｂ  ２０１Ｂと通話中の状態にあるときに、電話番号'２０３番'のユーザＣの固定電話機Ｃ  ２０１Ｃから、通話中のユーザＡのもう一方の電話端末である携帯端末Ａ  ２０２Ａに対して着信しようとしている場合を示している。しかし、図４においては、図３の場合とは異なり、着信しようとする携帯端末Ａ  ２０２Ａの近傍には代理で応答することができる人がいないか、あるいは、ユーザＡがユーザＢとの通話を一旦保留することができず、携帯端末Ａ  ２０２Ａの応答操作を行うことができない場合について示している。
【００４４】
つまり、図４においては、通話中のユーザに対する新たな着信が発生した場合には、親子電話機における機能と同様、ボタン電話装置１００は通話状態の管理に支障を及ぼす可能性が高いものと判断して、ボタン電話装置１００において排他制御を行うことにより、新たな着信を受け付けないように制御する機能を実現している例を示している。
【００４５】
図４において、ユーザＡが固定電話機Ａ  ２０１を用いてユーザＢの固定電話機Ｂ  ２０１Ｂと通話中の状態にあった場合に（図４のシーケンス番号（１））、電話番号'２０２番'のユーザＣが、固定電話機Ｃ  ２０１Ｃを用いて、電話番号'２００番'のユーザＡに対する発信操作を行うと（図４のシーケンス番号（２））、ボタン電話装置１００は、通信制御部１０２にて、情報記録装置１０３を参照して、電話番号'２００番'のユーザＡに対する着信（呼び出し）の可否を判断する（図４のシーケンス番号（３））。ボタン電話装置１００は、情報記録装置１０３を参照した通信制御部１０２にて、電話番号'２００番'のユーザＡは、２台の電話端末のうち、固定電話機Ａ  ２０１Ａを用いて、ユーザＢの固定電話機Ｂ  ２０１Ｂと通話中の状態にあるものの、携帯端末Ａ  ２０２Ａが待機中（ｉｄｌｅ）の状態にあることを認識する。
【００４６】
しかし、ボタン電話装置１００は、図３の場合とは異なり、携帯端末Ａ  ２０２Ａの電話端末には、電話番号'２００番'という通話中の状態にある固定電話機Ａ  ２０１Ａの電話番号と同一の電話番号が付与されているので、ユーザＡは話中状態（Ｂｕｓｙ状態）にあるものとして、通話中の状態にあるユーザＡに対しては、新たな着信は受け付けないことにするという排他制御を行う。
【００４７】
したがって、ボタン電話装置１００は、待機中（ｉｄｌｅ）の状態にある携帯端末Ａ  ２０２Ａに対する着信動作を行うことなく、発信元のユーザＣの固定電話機Ｃ  ２０１Ｃに対して、着信（呼び出し）動作の失敗を示す話中（Ｂｕｓｙ）信号を送信して、ユーザＡに対する発信を拒否する（図４のシーケンス番号（４））。
【００４８】
（第４の実施形態）
次に、電話番号'２００番'が割り当てられているユーザＡが２台の電話端末（固定電話機Ａ  ２０１Ａ、携帯端末Ａ  ２０２Ａ）のいずれかを用いて通信中の状態にある場合に、通信中の電話端末とは異なる電話端末を用いてさらに発信しようとする場合の動作について、図５を用いて説明する。図５は、本発明に係るボタン電話装置１００において２台の電話端末を有するユーザＡが一方の電話端末を用いて通信中の状態にある場合に、当該ユーザＡが他方の電話端末を用いてさらに発信しようとする場合の一例を示すシステム構成図である。
【００４９】
図５においては、電話番号'２００番'のユーザＡが固定電話機Ａ  ２０１Ａを用いて、電話番号'２０１番'のユーザＢの固定電話機Ｂ  ２０１Ｂと通話中の状態にあるときに、通話中のユーザＡが、もう一方の電話端末である携帯端末Ａ  ２０２Ａを用いて、電話番号'２０３番'のユーザＣの固定電話機Ｃ  ２０１Ｃに対して発信しようとしている場合を示している。しかし、図５においては、発信しようとする携帯端末Ａ  ２０２Ａには、現在通話中の状態にある固定電話機Ａ  ２０１Ａと同一の電話番号が付与されているので、ボタン電話装置１００は、通話中の固定電話機Ａ  ２０１Ａと同一の電話番号の携帯端末Ａ  ２０２Ａからの発信操作を受け付けることを拒否するという排他制御を行う場合について示している。
【００５０】
つまり、図５においては、通話中のユーザが、通話中の電話端末とは異なる電話端末を用いてさらに新たな発信操作を行った場合には、親子電話機における機能と同様、ボタン電話装置１００は通話状態の管理に支障を及ぼす可能性が高いものと判断して、ボタン電話装置１００において排他制御を行うことにより、新たな発信を受け付けないように制御する機能を実現している例を示している。
【００５１】
図５において、ユーザＡが固定電話機Ａ  ２０１を用いてユーザＢの固定電話機Ｂ  ２０１Ｂと通話中の状態にあった場合に（図５のシーケンス番号（１））、当該ユーザＡが、携帯端末Ａ  ２０２Ａを用いて、電話番号'２０２番'のユーザＣの固定電話機Ｃ  ２０１Ｃに対する発信操作を行うと（図５のシーケンス番号（２））、ボタン電話装置１００は、通信制御部１０２にて、情報記録装置１０３を参照して、電話番号'２００番'のユーザＡのユーザＣへの発信の可否を判断する（図５のシーケンス番号（３））。ボタン電話装置１００は、情報記録装置１０３を参照した通信制御部１０２にて、電話番号'２００番'のユーザＡは、２台の電話端末を有しているものの、発信操作を行った携帯端末Ａ  ２０２Ａと同一の電話番号'２００番'を付与された固定電話機Ａ  ２０１Ａが、ユーザＢの固定電話機Ｂ  ２０１Ｂとの通話中の状態にあることを認識する。
【００５２】
このため、携帯端末Ａ  ２０２Ａが、待機中（ｉｄｌｅ）状態にあって発信操作が可能な状態にあったとしても、電話番号'２００番'という通話中の状態にある固定電話機Ａ  ２０１Ａの電話番号と同一の電話番号が付与されているので、ユーザＡは話中状態（Ｂｕｓｙ状態）にあるものとして、通話中の状態にあるユーザＡからの新たな発信は受け付けないことにするという排他制御を行う。
【００５３】
したがって、ボタン電話装置１００は、待機中（ｉｄｌｅ）の状態にある携帯端末Ａ  ２０２ＡからのユーザＣに対するさらなる発信操作を受け付けることなく、発信元のユーザＡの携帯端末Ａ  ２０２Ａに対して、発信動作の失敗を示す話中（Ｂｕｓｙ）信号を送信して、ユーザＡの発信を拒否する（図５のシーケンス番号（４））。
【００５４】
（共有電話番号設定例）
図６は、本発明に係るボタン電話装置１００の情報記録装置１０３内の共有電話番号設定テーブルに設定登録されている各電話端末の排他制御の実施の有無を指定する制御情報の設定状況の一例を示すテーブルであり、共有電話番号設定テーブルは、電話端末３０１、内線番号３０２、発信時の排他制御３０３、着信時の排他制御３０４に関する情報が少なくとも登録されており、各ユーザが有する各電話端末ごとに、発着信時における排他制御の実施の有無を示す制御情報が設定登録されている。なお、共有電話番号設定テーブルへの登録内容は、ユーザが任意に設定登録することができる。
【００５５】
図６の共有電話番号設定テーブルにおいては、内線番号３０２に示すように、ユーザＡに割り当てた電話番号'２００番'、ユーザＢに割り当てた電話番号'２０１番'、ユーザＣに割り当てた電話番号'２０２番'に対応して、それぞれ、電話端末３０１に示すように、固定電話機Ａおよび携帯端末Ａ、固定電話機Ｂおよび携帯端末Ｂ、固定電話機Ｃおよび携帯端末Ｃと、２台の電話端末が割り当てられていて、一人のユーザが有する２台の電話端末に１つの電話番号が共有されている状況を示している。
【００５６】
さらに、図６の共有電話番号設定テーブルにおいては、発信時の排他制御３０３の'有'、'無'、着信時の排他制御３０４の'有'、'無'に示すように、各ユーザに割り当てた１つの電話番号を共有している２台ずつの電話端末について、排他制御として、発着信動作時に、いずれか一方の電話端末が使用されているか否かを応じて、他方の電話端末を用いた発着信を許可するか否かを設定登録している。
【００５７】
例えば、電話番号'２００番'のユーザＡが使用する固定電話機Ａ  ２０１Ａおよび携帯端末Ａ  ２０２Ａの場合は、発信時の排他制御３０３、着信時の排他制御３０４に示すように、いずれも、'有'として設定登録しており、固定電話機Ａおよび携帯端末Ａは、排他制御により、いずれか一方の電話端末が使用中の場合には、他方の電話端末がたとえ待機中（ｉｄｌｅ）の状態であっても使用することができない旨が設定登録されている。また、電話番号'２０１番'、'２０２番'のユーザＢ，Ｃそれぞれが使用する固定電話機Ｂ  ２０１Ｂ，Ｃ  ２０１Ｃおよび携帯端末Ｂ  ２０２Ｂ，Ｃ  ２０２Ｃの場合は、発信時の排他制御３０３、着信時の排他制御３０４に示すように、いずれも、'無'として設定登録しており、固定電話機Ｂ  ２０１Ｂ，Ｃ  ２０１Ｃおよび携帯端末Ｂ  ２０２Ｂ，Ｃ  ２０２Ｃは、排他制御により、いずれか一方の電話端末（例えば固定電話機Ｂ  ２０１Ｂ，Ｃ  ２０１Ｃ）が使用中の場合であっても、他方の電話端末（例えば携帯端末Ｂ  ２０２Ｂ，Ｃ  ２０２Ｃ）が待機中（ｉｄｌｅ）の状態にあれば使用することができる旨が設定登録されている。
【００５８】
（発着信動作シーケンス例）
次に、図１ないし図５に示したボタン電話装置１００における共有電話番号利用方法（複数の電話端末に共通の同一番号を付与した場合の動作方法）について、発着信動作の一例を示すフローチャートを用いてさらに説明する。図７は、本発明に係るボタン電話装置の発信動作の一例を説明するフローチャートであり、図８は、本発明に係るボタン電話装置の着信動作の一例を説明するフローチャートである。
【００５９】
まず、図７のフローチャートを用いて、共有電話番号（つまり共通の同一の電話番号）が付与されている２台の電話端末の発信動作について説明する。図７のフローチャートにおいて、或るユーザの電話端末がオフフック操作をしたことを示す発信信号を受信すると、ボタン電話装置１００の通信制御部１０２は、情報記録装置１０３の共有電話番号設定テーブルを参照して、内線番号３０２と発信時の排他制御３０３とから、発信元の電話端末が、発信時において、同一電話番号を有する他方の電話端末が使用中であれば、発信が許可されないという排他制御の実施を求めている電話端末であるか否かを確認する（ステップＳ１）。
【００６０】
発信元の電話端末が、排他制御を行わない電話端末であった場合は（ステップＳ１の'無'の場合）、当該発信元の電話端末からの発信動作を直ちに許可して、ステップＳ３に移行する。一方、発信元の電話端末が、排他制御を実施すべき電話端末であった場合は（ステップＳ１の'有'の場合）、同一電話番号を有する他方の電話端末が待機中（ｉｄｌｅ）の状態にあるか否かを確認する（ステップＳ２）。
【００６１】
同一電話番号を有する他方の電話端末が待機中（ｉｄｌｅ）の状態にはなく、使用中の状態にあった場合は（ステップＳ２の'いずれかが使用中'の場合）、排他制御を適用して、当該発信元の電話端末からの発信動作を拒否するために、その旨を示す話中音（Ｂｕｓｙ  Ｔｏｎｅ）を、発信元の電話端末に対して送信して、発信元の電話端末の切断を促す（ステップＳ７）。
【００６２】
一方、同一電話番号を有する他方の電話端末が待機中（ｉｄｌｅ）の状態であった場合には（ステップＳ２の'それ以外'の場合）、該発信元の電話端末からの発信動作を許可して、ステップＳ３に移行する。ステップＳ３においては、発信元の電話端末に対して、発信先を示すダイヤル操作を促すダイヤルトーンを送信する（ステップＳ３）。発信元の電話端末から、発信先の電話番号に関するダイヤル情報を受信すると（ステップＳ４）、情報記録装置１０３を参照してダイヤル情報が示す発信先の電話端末に関する接続経路を選択するとともに、着信先に対して送信すべきダイヤル情報を選択する（ステップＳ５）。しかる後、発信先の電話端末に対して、発信元の電話端末の電話番号を発信元電話番号として付した着信信号（呼び出し信号）を送信することによって呼び出しを行う（ステップＳ６）。着信先の電話端末が応答すると、通話状態に移行する。
【００６３】
次に、図８のフローチャートを用いて、共有電話番号（つまり共通の同一の電話番号）が付与されている２台の電話端末の着信動作について説明する。図８のフローチャートにおいて、或るユーザの電話端末から共有電話番号が付与されている２台の電話端末に対する発信信号（呼び出し要求信号）を受信すると、ボタン電話装置１００の通信制御部１０２は、情報記録装置１０３の共有電話番号設定テーブルを参照して、内線番号３０２と着信時の排他制御３０４とから、着信先の電話端末が、着信時において、同一電話番号を有する他方の電話端末が使用中であれば、着信が許可されないという排他制御の実施を求めている電話端末であるか否かを確認する（ステップＳ１１）。
【００６４】
着信先の電話端末が、排他制御を行わない電話端末であった場合は（ステップＳ１１の'無'の場合）、当該着信先の電話端末に対する着信動作を直ちに許可して、ステップＳ１３に移行する。一方、着信先の電話端末が、排他制御を実施すべき電話端末であった場合（ステップＳ１１の'有'の場合）、同一電話番号を有する他方の電話端末が待機中（ｉｄｌｅ）の状態にあるか否かを確認する（ステップＳ１２）。
【００６５】
同一電話番号を有する他方の電話端末が待機中（ｉｄｌｅ）の状態にはなく、使用中の状態にあった場合は（ステップＳ１２の'いずれかが使用中'の場合）、排他制御を適用して、当該着信先の電話端末に対する着信動作を拒否するために、その旨を示す話中音（Ｂｕｓｙ  Ｔｏｎｅ）を、発信元の電話端末に対して送信して、発信元の電話端末の切断を促す（ステップＳ１５）。
【００６６】
一方、同一電話番号を有する他方の電話端末が待機中（ｉｄｌｅ）の状態であった場合には（ステップＳ１２の'それ以外'の場合）、該着信先の電話端末に対する着信動作を許可して、ステップＳ１３に移行する。ステップＳ１３においては、情報記録装置１０３を参照して、発信信号にて指定された着信先の電話番号が付与されている全ての電話端末のうち、待機中（ｉｄｌｅ）の状態にある電話端末を、着信信号（呼び出し信号）を送信すべき着信先の電話端末として検索する（ステップＳ１３）。しかる後、着信信号（呼び出し信号）を送信すべき着信先の電話端末として検索した待機中（ｉｄｌｅ）の状態にある全ての電話端末に対して、発信先電話番号を付した着信信号（呼び出し信号）を送信する（ステップＳ１４）。着信先のいずれかの電話端末が応答すると、通話状態に移行する。
【００６７】
（実施形態の効果の説明）
以上に詳細に説明したように、本発明に係る各実施形態においては、次のような効果が得られる。
【００６８】
（１）一人のユーザが複数の電話端末を使用する場合、複数の電話端末に対して、共通の同一の電話番号が付与されているので、該ユーザが複数の電話端末のうち、いずれの電話端末を用いて発信しても、着信先の電話端末に対しては、発信元を示す発信元電話番号として、同一の電話番号を通知することになり、着信先のユーザは、発信元のユーザをより容易に認識することができる。また、着信先において電話帳を検索して発信元のユーザ名を発信者情報として表示させる場合には、同一ユーザが複数の電話端末を用いている場合であっても、該電話帳には一つの電話番号を登録するだけで良く、電話帳の登録・管理がより容易になる。
【００６９】
（２）一人のユーザが複数の電話端末を使用し、かつ、複数の電話端末に共通に同一の電話番号を付与している場合であっても、親子電話機の場合とは異なり、複数の電話端末を同時に利用することができ、電話端末の利便性を向上させることができる。つまり、或る電話端末が使用中の状態にあっても、当該ユーザが使用中の電話端末の使用状態を一旦保留して、当該ユーザ自身が、あるいは、当該ユーザの代理となる人が、他の電話端末を使用することができる。
【００７０】
（３）一つの電話番号を複数の電話端末で共有する場合において、いずれかの電話端末を使用中の場合には、他の電話端末の発着信動作を許可するか否かを示す発信時／着信時の排他制御に関する制御情報を任意に設定登録することができるので、ボタン電話装置における接続制御に関する管理を簡素化することも可能である。
【００７１】
（４）一つの電話番号を共有する複数の電話端末として、ボタン電話端末のみならず、事務机上等に設置する多機能電話機、家庭内でも使用するアナログ電話機、デジタル電話機、ＩＰ電話機等の各種の固定電話端末、構内用ＰＨＳ端末や無線通信端末等の各種の携帯端末等、多様な電話端末の組合せで利用することが可能になるので、ボタン電話装置における通話距離に関する制限を大幅に緩和することができる。
【００７２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７３】
１００      ボタン電話装置
１０１      通話回路
１０２      通信制御部
１０３      情報記録装置
２０１Ａ    固定電話機Ａ
２０１Ｂ    固定電話機Ｂ
２０１Ｃ    固定電話機Ｃ
２０２Ａ    携帯端末Ａ
３０１      電話端末
３０２      内線番号
３０３      発信時の排他制御
３０４      着信時の排他制御
【図１】
2011188160.tif 000003
【図２】
2011188160.tif 000004
【図３】
2011188160.tif 000005
【図４】
2011188160.tif 000006
【図５】
2011188160.tif 000007
【図６】
2011188160.tif 000008
【図７】
2011188160.tif 000009
【図８】
2011188160.tif 000010